(57)【要約】      （修正有）【課題】殆どの薪ストーブに使用可能としながら低コストでも優れた着火性・燃焼性を発揮できる燃焼促進具を提供する。【解決手段】薪の支持部材となる金属製の円筒管１０の少なくとも両端側に円筒管１０を所定高さの横向きの状態で持ち上げて支持する脚部１１，１１を各々備えた燃焼促進具１であって、燃焼促進具１の少なくとも１対が薪ストーブの燃焼室の薪載置面で所定間隔を置いて並列に配置されて、並列した円筒管１０，１０の上に並列した円筒管１０を渡すように薪１００，１００，・・・を載置した状態で使用される、ことを特徴とする燃焼促進具とした。【選択図】図２
0003217421.tif 000002
【実用新案登録請求の範囲】
【請求項１】
薪の支持部材となる金属製の円筒管の少なくとも両端側にこれを所定高さの横向きの状態で持ち上げて支持する脚部を備えた燃焼促進具であって、その少なくとも１対が薪ストーブの燃焼室の薪載置面で所定間隔を置いて並列に配置されて、並列した前記円筒管の上にこれらを渡すように薪を載置した状態で使用される、ことを特徴とする燃焼促進具。
【請求項２】
前記円筒管は、前記脚部により所定高さで持ち上げられた状態で、前記円筒管の下方に隙間による空気流通路を形成されており、並列した前記円筒管の間に形成された空間と外部との間で前記円筒管の長手方向に対し直角の向きで気体を流通させる、ことを特徴とする請求項１に記載した燃焼促進具。
【請求項３】
前記脚部は、前記円筒管よりも小径且つ短尺の金属製で円筒状の部材からなり、前記円筒管の長手方向に対し直角の向きで横向きに固定されている、ことを特徴とする請求項１または２に記載した燃焼促進具。
【考案の詳細な説明】
【技術分野】
【０００１】
本考案は、薪ストーブ内に配置した薪の着火性・燃焼性を高めるための燃焼促進具に関する。
【背景技術】
【０００２】
薪ストーブに用いられる薪は、密で堅固な個体燃料であり着火しにくいことから、薪ストーブの使用に慣れていない使用者にとって、その燃焼を開始させることは容易ではない。また、薪は乾燥期間が長い程、着火性・燃焼性が向上するものであるが、長期間の乾燥を経てから出荷する場合はコスト高になってしまうため、市販の薪は充分に乾燥していない状態のものが多く、その着火作業を一層困難にしている。
【０００３】
そのため、着火を促進させるための石油系着火剤を用いたり、図３に示すような鉄製の五徳で薪を下から支えた状態にして薪に対する空気と炎の回りを改善しながら、薪の下方に形成された空間に紙や大鋸屑等の燃えやすい着火用材料を置いたりして、着火を促進させることが行われている。
【０００４】
さらに、特開２００７−２８５６６０号公報に記載されているように、薪ストーブにおける薪載置部の下方に、空気調整弁から流入する空気を取り込む燃焼促進具として水平空気供給管を設け、その側面に設けた複数個の空気孔から上方の薪に空気を供給することにより、その燃焼を促進させるようにした薪ストーブも提案されている。
【０００５】
しかし、上述した五徳を使用して薪の着火・燃焼を促進させる場合は、薪の燃焼に伴う急激な温度上昇により、鉄製の五徳が部分的に伸展してその接合部が破断したり、全体的に変形したりして短期間で使用不能な状態になりやすいため、結果的にコスト高になってしまう。一方、前述した水平空気供給管による燃焼促進具は、構造が複雑で高コストであるとともに使用できる薪ストーブが限られており、且つ、薪の下方に形成される空間が小さいとともに側方から流入する空気が少ないため、着火材を用いた着火には不向きなものである。
【先行技術文献】
【特許文献】
【０００６】
【特許文献１】特開２００７−２８５６６０号公報
【考案の概要】
【考案が解決しようとする課題】
【０００７】
本考案は、上記のような問題を解決しようとするものであり、薪の燃焼促進具について、殆どの薪ストーブに使用可能としながら低コストでも優れた着火性・燃焼性を発揮できるようにすることを課題とする。
【課題を解決するための手段】
【０００８】
そこで、本考案は、薪の支持部材となる金属製の円筒管の少なくとも両端側にこれを所定高さの横向きの状態で持ち上げて支持する脚部を各々備えた燃焼促進具であって、その少なくとも１対が薪ストーブの燃焼室の薪載置面で所定間隔を置いて並列に配置されて、並列した円筒管の上にこれらを渡すように薪を載置した状態で使用される、ことを特徴とする燃焼促進具とした。
【０００９】
このように、薪ストーブの燃焼室内で薪を持ち上げるように支持しながら着火・燃焼を促進させる支持部材として、金属製の円筒管を少なくとも対で使用する方式としたことで、支持部材に急激な加熱や冷却が加わった場合でも、その円筒状の周壁による熱伝導の均一性も相俟ってその周壁が全体として均一的に伸縮することから、ひずみ・変形及びそれによる破断が生じにくいものとなるため、長期間に亘って使用可能なものとなって、低コストで優れた着火性・燃焼性を発揮することができる。
【００１０】
また、この燃焼促進具において、前記円筒管は前記脚部により所定高さで持ち上げられた状態で、円筒管の下方に隙間による空気流通路を形成されており、並列した円筒管の間に形成された空間と外部との間で前記円筒管の長手方向に対し直角の向きで気体を流通させる、ことを特徴としたものとすれば、薪の着火性・燃焼性をより促進させることができる。
【００１１】
さらに、上述した燃焼促進具において、その脚部は、支持部材である前記円筒管よりも小径且つ短尺の金属製で円筒状の部材からなり、前記円筒管の長手方向に対し直角の向きで横向きに固定されている、ことを特徴としたものとすれば、この脚部材も支持部材である円筒管と同様にひずみ・変形及びそれによる破断の生じにくいものとなり、且つ、その内部においても前記円筒管に対し直角方向の空気流通路を形成するため、薪の着火性・燃焼性に一層優れたものとなる。
【考案の効果】
【００１２】
薪ストーブの燃焼室内で薪を持ち上げて支持しながら着火・燃焼を促進させる支持部材として金属製円筒管を使用する方式とした本考案により、支持部材に急激な加熱や冷却が加わった場合でも、ひずみ・変形及びそれによる破断が生じにくくなって長期間に亘る使用が可能となるため、低コストで優れた着火性・燃焼性を発揮するものである。
【図面の簡単な説明】
【００１３】
【図１】本考案における実施の形態である燃焼促進具の斜視図である。
【図２】図１の燃焼促進具の使用状態を示す正面図である。
【図３】従来例を示す斜視図である。
【考案を実施するための形態】
【００１４】
以下に、図面を参照しながら本考案を実施するための形態を説明する。
【００１５】
図１は、本実施の形態である燃焼促進具１を斜視図で示している。この燃焼促進具１は、薪の支持部材として中空部１０ａを有した金属製の円筒管１０の少なくとも両端側所定位置に、これを所定高さの横向き状態で持ち上げて支持する脚部１１，１１を各々備えた燃焼促進具であり、この燃焼促進具１の少なくとも１対がストーブの燃焼室の薪載置面で所定間隔を置いて並列に配置された状態で使用されるものである。
【００１６】
また、その脚部１１，１１は、支持部材である円筒管１０よりも小径且つ短尺の金属製で円筒状の部材からなり、円筒管１０の長手方向に対し直角の向きで横向きに固定されており、これら脚部１１，１１により所定高さで持ち上げられた状態にて、円筒管１０が転動しないように支持しながら円筒管１０の下方に空気流通路になる隙間を形成するようになっている。
【００１７】
このように、薪の支持部材として金属製の円筒管１０を対で使用する方式としたことで、これに急激な加熱や冷却が加わった場合でも、その円筒状の周壁による熱伝導の均一性及び均一な伸縮性により、ひずみ・変形及びそれによる破断が生じにくいものとなるため、長期間に亘って使用可能なものとなって、低コストで優れた着火性・燃焼性を発揮することができる。
【００１８】
また、円筒管１１を支える脚部１１，１１も、同様に金属製で円筒状の部材からなるものとしたことで、前述の円筒管１０と同様に、ひずみ・変形及びそれによる破断が生じにくいものとなっている。尚、この円筒管１０及び円筒状の脚部１１の素材としては、耐久性及び錆にくさの観点からステンレスが好適であり、円筒管１０に対する脚部１１の固定は、ステンレス溶接やネジによる固定が破断・分離の生じにくさの点で推奨される。
【００１９】
図２は、この燃焼促進具１の使用状態を正面図で示している。このように、対の燃焼促進具１，１を、薪ストーブの燃焼室内で所定間隔を置いて並列に配置しながら、その並列した円筒管１０，１０の間を渡すように薪１００，１００を並列配置して井桁状に積み上げて使用するものである。
【００２０】
このような状態で燃焼促進具１，１を対で使用しながら、円筒管１０，１０の上に置いた薪１００，１００，・・の着火及び燃焼を行う方式を採用したことにより、薪１００，１００，・・の下方に充分な空間が確保されることから、この空間部分に紙や大鋸屑等の着火材を配置して着火作業をスムースに行うことができる。
【００２１】
また、円筒管１０を脚部１１，１１で持ち上げた構成としたことから、円筒管１０の長手方向のみならず、円筒管１０の下方の隙間を介した側方からの空気流通路が形成されるため、この部分を介して空気と炎が内外の空間を流通するものとなり、井桁状に積み上げた総ての薪１００の木口側に空気及び炎を導くことになるため、優れた着火性・燃焼性を実現することができる。
【００２２】
さらに、円筒管１０の周壁で形成された曲面により、円筒管１０，１０の間に形成された空間と外部との間で流通する気体が案内されながら、狭まった空間に生じるジェット作用により気体の流入速度を速める機能も発揮する。そして、上述したように、脚部１１，１１も円筒状の金属製部材からなるものとしたことで、その内部も空気流通路として機能するため、一層充分な空気流通量を確保することができる。
【００２３】
以上、述べたように、薪の燃焼促進具について、本考案により、殆どの薪ストーブに使用可能としながら、低コストでも優れた着火性・燃焼性を発揮できるようになった。
【符号の説明】
【００２４】
１  燃焼促進具、１０  円筒管、１０ａ  内腔部、１１  脚部、１００  薪
【図１】
0003217421.tif 000003
【図２】
0003217421.tif 000004
【図３】
0003217421.tif 000005
【手続補正書】
【提出日】平成30年6月6日(2018.6.6)
【手続補正１】
【補正対象書類名】実用新案登録請求の範囲
【補正対象項目名】請求項１
【補正方法】変更
【補正の内容】
【請求項１】
薪の支持部材となる金属製の円筒管の少なくとも両端側に前記円筒管を所定高さの横向きの状態で持ち上げて支持する脚部を備えた燃焼促進具であって、該燃焼促進具の少なくとも１対が薪ストーブの燃焼室の薪載置面で所定間隔を置いて並列に配置されて、並列した前記円筒管の上に前記並列した円筒管を渡すように薪を載置した状態で使用される、ことを特徴とする燃焼促進具。